(57)【要約】【課題】複数のプロジェクタとの連携により、画像と編集ファイルの投影と、編集ファイルの編集とを並行して行おうとするユーザの負担を軽減する。【解決手段】ステップ２０３、３０３のリンク情報生成のサブルーチンでは、プロジェクタ１００は、複数の表示スライドの画像データ各々に対応するリンク情報を生成し、ステップ２０５、３０５の投影処理のサブルーチンでは、プロジェクタ１００は、スライド画像と、それに対応する議事録データの画像とを投影する。この状態で、議事録の編集が行われるとともに、表示スライドの切替指示が検出されると、スライド画像と、それに対応する議事録データの画像とが切り替えられる。ステップ２１１において、スライド表示の終了指示を検出すると、各プロジェクタ１００は、ステップ２１３、３１３で、表示スライドの終了のサブルーチンを行う。このサブルーチンでは、画像データ各々を、議事録データを関連付けた状態で、全データを一括保存する。【選択図】図４
2008249905.tif 000002
【特許請求の範囲】
【請求項１】
画像を投影するとともに、前記画像に関連付けられた編集ファイルが有る場合は、前記編集ファイル又はその編集ファイルに関する情報を、通信手段を介して送信する第１のプロジェクタと、
前記通信手段を介して受信された前記情報を受信し、受信された情報に基づいて、前記画像に関連付けられた編集ファイルを書き込み可能とするとともに、その編集ファイルの内容に相当する画像を投影する第２のプロジェクタと、を備える表示システム。
【請求項２】
前記第１のプロジェクタは、
前記画像に関連付けられた編集ファイルが存在しない場合には、前記編集ファイルの作成指示を、前記編集ファイルに関する情報として、前記通信手段を介して前記第２のプロジェクタに送信し、
前記第２のプロジェクタは、
前記編集ファイルの作成指示を受信すると、前記編集ファイルを新規作成し、その編集ファイルを書き込み可能とするとともに、その編集ファイルの内容に相当する画像を投影することを特徴とする請求項１に記載の表示システム。
【請求項３】
前記第１のプロジェクタは、
前記画像に関連付けられた編集ファイルが存在する場合には、前記編集ファイルを前記通信手段を介して前記第２のプロジェクタに送信し、
前記第２のプロジェクタは、
前記通信手段を介して受信された編集ファイルを書き込み可能とするとともに、その編集ファイルの内容に相当する画像を投影することを特徴とする請求項１又は２に記載の表示システム。
【請求項４】
前記第１のプロジェクタは、
外部操作入力によって、投影する前記画像を切り替え可能であり、
前記画像が切り替えられる度に、前記画像に関連付けられた編集ファイル又はその編集ファイルに関する情報を前記通信手段を介して送信し、
前記第２のプロジェクタは、
前記画像が切り替えられる度に、前記通信手段を介して前記情報を受信し、受信された情報に基づいて、前記画像に関連付けられた編集ファイルを新たに書き込み可能とするととともに、その編集ファイルの内容に相当する画像を投影することを特徴とする請求項１〜３のいずれか一項に記載の表示システム。
【請求項５】
前記第１のプロジェクタは、
前記画像の投影を終了する場合に、前記第２のプロジェクタから前記編集ファイルを取得し、取得された編集ファイルを、前記画像と関連付けて一括保存することを特徴とする請求項１〜４のいずれか一項に記載の表示システム。
【請求項６】
前記第１のプロジェクタは、
前記編集ファイルを、前記画像と関連付けて、記憶装置に格納することを特徴とする請求項５に記載の表示システム。
【請求項７】
格納位置と、ファイル名の一部と、属性情報との少なくとも１つに基づいて、前記画像のファイルと前記編集ファイルとが関連付けられていることを特徴とする請求項１〜６のいずれか一項に記載の表示システム。
【請求項８】
画像を投影するとともに、前記画像に関連付けられた編集ファイル又はその編集ファイルに関する情報を、通信手段を介して送信する第１の動作モードと、前記通信手段を介して受信された前記情報を受信し、受信された情報に基づいて、前記画像に関連付けられた編集ファイルを書き込み可能とするとともに、その編集ファイルの内容に相当する画像を投影する第２の動作モードとのいずれかの動作モードで動作し、
前記第１の動作モードと、前記第２の動作モードを切り替え可能なプロジェクタ。
【発明の詳細な説明】
【技術分野】
【０００１】
本発明は、複数のプロジェクタを連携させて、互いに関連する複数の画像を投影する表示システムと、該表示システムに用いられるプロジェクタに関する。
【背景技術】
【０００２】
従来より、会議、講演、プレゼンテーションなどにおいては、関連資料を、出席者が同時に見ることができるように、スクリーン上などにその資料画像を投影するプロジェクタが用いられることが多い。さらに、会議等では、互いに関連する複数の資料画像を同時に投影したい場合があり、このような場合には、複数のプロジェクタが同時に用いられることもしばしばである。
【０００３】
複数の画像を同時に投影するために複数のプロジェクタを手動で操作するのはユーザにとってかなりの負担となるため、ユーザの負担を軽減するための技術が従来より開示されている。例えば、各プロジェクタで投影されるスライドショーソフトウエアの各ページのスライド画像を、ページ毎に順次表示させるためのシナリオファイルや投影する画像ファイルを自動作成したり、編集したりする技術が開示されている（例えば、特許文献１〜３参照）。
【０００４】
【特許文献１】国際公開第０１／９５２５６号公報パンフレット
【特許文献２】特開２００５−１００４００号公報
【特許文献３】特開２００５−１０８２１９号公報
【発明の開示】
【発明が解決しようとする課題】
【０００５】
ところで、複数のプロジェクタを同時に使用する例としては、例えば、一方のプロジェクタで、スライドショーソフトウエアの各ページのスライド画像を投影し、他方のプロジェクタで、そのスライド画像が投影されている間の議事の内容を記録すべき議事録ファイルを投影するような場合がある。
【０００６】
しかしながら、一方のプロジェクタでスライド画像を投影し、他方のプロジェクタで議事録ファイルを投影するような場合には、投影された議事録ファイルが編集可能となっているのが望ましいが、このファイルを編集可能とするには、スライド画像の切替とは別に、テキストエディタの起動処理を手動で行わなければならなかった。
【０００７】
また、このような編集された複数のスライド画像にそれぞれ対応する議事録ファイルについては、同時に投影されていたスライド画像の画像データファイルと、例えば、同じフォルダなどに保存されるなどして、互いに関連付けられて保存されるのが望ましいが、従来より、このようなファイル管理は、ユーザが手動で行っているのが実情である。
【０００８】
本発明は、上記課題を解決するためになされたもので、複数のプロジェクタとの連携により、資料画像と編集ファイルの投影と、編集ファイルの編集とを並行して行おうとするユーザの負担を軽減することができる表示システム及びその表示システムに用いられるプロジェクタを提供することを目的とする。
【課題を解決するための手段】
【０００９】
上記目的を達成するために、請求項１に記載の表示システムは、画像を投影するとともに、前記画像に関連付けられた編集ファイルが有る場合は、前記編集ファイル又はその編集ファイルに関する情報を、通信手段を介して送信する第１のプロジェクタと、前記通信手段を介して受信された前記情報を受信し、受信された情報に基づいて、前記画像に関連付けられた編集ファイルを書き込み可能とするとともに、その編集ファイルの内容に相当する画像を投影する第２のプロジェクタと、を備えることを特徴とする。
【００１０】
また、請求項２に記載の表示システムは、請求項１に記載の表示システムにおいて、前記第１のプロジェクタは、前記画像に関連付けられた編集ファイルが存在しない場合には、前記編集ファイルの作成指示を、前記編集ファイルに関する情報として、前記通信手段を介して前記第２のプロジェクタに送信し、前記第２のプロジェクタは、前記編集ファイルの作成指示を受信すると、前記編集ファイルを新規作成し、その編集ファイルを書き込み可能とするとともに、その編集ファイルの内容に相当する画像を投影することを特徴とする。
【００１１】
また、請求項３に記載の表示システムでは、請求項１又は２に記載の表示システムにおいて、前記第１のプロジェクタは、前記画像に関連付けられた編集ファイルが存在する場合には、前記編集ファイルを前記通信手段を介して前記第２のプロジェクタに送信し、前記第２のプロジェクタは、前記通信手段を介して受信された編集ファイルを書き込み可能とするとともに、その編集ファイルの内容に相当する画像を投影することを特徴とする。
【００１２】
また、請求項４に記載の表示システムでは、請求項１〜３のいずれか一項に記載の表示システムにおいて、前記第１のプロジェクタは、外部操作入力によって、投影する前記画像を切り替え可能であり、前記画像が切り替えられる度に、前記画像に関連付けられた編集ファイル又はその編集ファイルに関する情報を前記通信手段を介して送信し、前記第２のプロジェクタは、前記画像が切り替えられる度に、前記通信手段を介して前記情報を受信し、受信された情報に基づいて、前記画像に関連付けられた編集ファイルを新たに書き込み可能とするととともに、その編集ファイルの内容に相当する画像を投影することを特徴とする。
【００１３】
請求項５に記載の表示システムでは、請求項１〜４のいずれか一項に記載の表示システムにおいて、前記第１のプロジェクタは、前記画像の投影を終了する場合に、前記第２のプロジェクタから前記編集ファイルを取得し、取得された編集ファイルを、前記画像と関連付けて一括保存することを特徴とする。
【００１４】
請求項６に記載の表示システムでは、請求項５に記載の表示システムにおいて、前記第１のプロジェクタは、前記編集ファイルを、前記画像と関連付けて、記憶装置に格納することを特徴とする。
【００１５】
請求項７に記載の表示システムでは、請求項１〜６のいずれか一項に記載の表示システムにおいて、格納位置と、ファイル名の一部と、属性情報との少なくとも１つに基づいて、前記画像のファイルと前記編集ファイルとが関連付けられていることを特徴とする。
【００１６】
また、請求項８に記載のプロジェクタは、画像を投影するとともに、前記画像に関連付けられた編集ファイル又はその編集ファイルに関する情報を、通信手段を介して送信する第１の動作モードと、前記通信手段を介して受信された前記情報を受信し、受信された情報に基づいて、前記画像に関連付けられた編集ファイルを書き込み可能とするとともに、その編集ファイルの内容に相当する画像を投影する第２の動作モードとのいずれかの動作モードで動作し、前記第１の動作モードと、前記第２の動作モードを切り替え可能であることを特徴とする。
【発明の効果】
【００１７】
請求項１に記載のプロジェクタによれば、第１のプロジェクタと、第２のプロジェクタとを備えている。第１のプロジェクタは、画像を投影するとともに、その画像に関連付けられた編集ファイルが有る場合は、その編集ファイル又はその編集ファイルに関する情報を、通信手段を介して第２のプロジェクタに送信する。また、第２のプロジェクタは、前記通信手段を介して送信された前記情報を受信し、受信された情報に基づいて、前記画像に関連付けられた編集ファイルを書き込み可能とするとともに、その編集ファイルの内容に相当する画像を投影する。このようにすれば、画像とその画像に関連する編集ファイルの内容とを、同期して投影させ、さらに、自動的に、その編集ファイルを、編集できる状態とすることができるようになる。これにより、画像と編集ファイルの投影と、例えば記事録を作成するというような編集ファイルの編集とを並行して行おうとするユーザの作業負担を軽減することができる。
【００１８】
また、請求項２に記載の表示システムによれば、画像に関連付けられた編集ファイルがない場合には、編集ファイルが自動的に新規作成されるようになり、ユーザが編集ファイルを新規作成する必要がなくなるので、ユーザの作業負担を低減することができる。
【００１９】
また、請求項３に記載の表示システムによれば、画像に関連付けられた編集ファイルがある場合には、第１のプロジェクタから第２のプロジェクタに対して、自動的に送信されるようになるので、ユーザが、スライド画像に関連付けられた編集ファイルを開いて、書き込み可能とする必要がなくなるため、ユーザの作業負担を軽減することができる。
【００２０】
また、請求項４に記載の表示システムによれば、第１のプロジェクタによって投影される画像は、外部入力によって切替可能である。外部入力が切り替えられる度に、第２のプロジェクタによって投影される編集ファイルの内容も、画像に対応するものに切り替えられる。このようにすれば、投影される画像と編集ファイルとの切り替えを、自動的に行うことが可能となるので、ユーザの作業負担を軽減することができる。
【００２１】
また、請求項５に記載の表示システムによれば、編集ファイルは、画像と関連付けて一括保存される。このようにすれば、すべての画像と、すべての議事録データとは、すべての最新の状態で自動的に保存されることになるため、データの保存を行う際のユーザの作業負担が軽減される。
【００２２】
また、請求項６に記載の表示システムによれば、編集ファイルは、画像と関連付けられて、記憶装置に格納される。このようにすれば、それらの関連性に基づいて、画像から編集ファイルにアクセスすることができるようになるので、編集ファイルの管理が容易となる。
【００２３】
また、請求項７に記載の表示システムによれば、格納位置と、ファイル名の一部と、属性情報との少なくとも１つに基づいて、画像ファイルと編集ファイルとが関連付けられるようになるので、画像ファイルと、編集ファイルとの関連付けが容易となる。
【００２４】
また、請求項８に記載の表示システムによれば、表示システムを構成するプロジェクタは、画像に関連付けられた編集ファイル又はその編集ファイルに関する情報を、通信手段を介して送信する第１の動作モードと、通信手段を介して受信された編集ファイルやそれに関する情報を受信し、受信された情報に基づいて、画像に関連付けられた編集ファイルを書き込み可能とするとともに、その編集ファイルの内容に相当する画像を投影する第２の動作モードとのいずれかに切替可能であるため、各プロジェクタは、第１の動作モードでも、第２の動作モードでも動作可能である。この結果、表示システムにおける各プロジェクタのフレキシブルな運用が可能となる。また、この表示システムを実現するためには、同型のプロジェクタを製造すればよいので、システムを構築するためのコストを低減することが可能となる。
【発明を実施するための最良の形態】
【００２５】
以下、本発明の一実施形態について、図面に基づいて詳細に説明する。
【００２６】
図１には、本発明の一実施形態に係る表示システム２００の概略構成が示されている。図１に示されるように、本実施形態に係る表示システム２００は、２台のプロジェクタ１００を備えている。２台のプロジェクタ１００は、画像を投影する同型の投影装置である。ここで、各プロジェクタ１００の画像の投影領域をＳ１、Ｓ２とする。ここで、画像とは、写真や絵のようなものに限定されるものではなく、例えば、テキストや表だけで構成されるようなものであってもよい。すなわち、投影可能な画像であればどのようなものであってもよい。
【００２７】
なお、プロジェクタ１００には、通信手段としてのＵＳＢ（Ｕｎｉｖｅｒｓａｌ  Ｓｅｒｉａｌ  Ｂｕｓ）インターフェイスが設けられており、ＵＳＢケーブル１０５を介して互いにデータ通信可能に接続されている。なお、プロジェクタ間は、ＬＡＮ（Ｌｏｃａｌ  Ａｒｅａ  Ｎｅｔｗｏｒｋ）や無線ＬＡＮなどの通信ネットワークでデータ通信可能となっていてもよい。また、このうち、第１のプロジェクタとしての左側に設置されたプロジェクタ１００のＵＳＢインターフェイスには、ＵＳＢメモリ１０１が接続されており、第２のプロジェクタとしての右側に設置されたプロジェクタ１００のＵＳＢインターフェイスには、パーソナルコンピュータ（以下、「パソコン」と略述する）１２０が接続されている。ＵＳＢメモリ１０１には、投影される複数の画像データファイルやテキスト編集ファイルが格納されている。パソコン１２０は、そのキーボード操作により指定される文字コードをプロジェクタ１００に送信可能となっている。
【００２８】
なお、左側のプロジェクタ１００には、ＵＳＢメモリ１０１の代わりに、パーソナルコンピュータが接続されるようにしてもよい。
【００２９】
また、各プロジェクタ１００には、赤外線によって、各プロジェクタ１００を遠隔操作するためのリモコン１０２が装備されている。このリモコン１０２の操作により、プロジェクタ１００に対して、各種操作コマンドが送信され、プロジェクタ１００は、その操作コマンドに従って動作するようになっている。
【００３０】
本実施形態に係る表示システム２００では、プロジェクタ１００のうち、左側のプロジェクタ１００は、スライドショーソフトウエアの各ページのスライド画像、すなわち主画像を投影するメインのプロジェクタとして動作し、右側のプロジェクタ１００は、議事録などが記述されるテキスト編集ファイルの内容に相当する画像、すなわち副画像を投影するサブのプロジェクタとして動作する。以下では、左側のプロジェクタ１００をメインプロジェクタ１００と呼び、右側のプロジェクタ１００をサブプロジェクタ１００と呼ぶ。なお、サブプロジェクタ１００は、複数台あってもよい。この場合には、サブプロジェクタ１００同士は、ＵＳＢケーブル１０５でカスケード接続されるようになる。
【００３１】
図２には、各プロジェクタ１００の内部構成を示すブロック図が示されている。図２に示されるように、プロジェクタ１００は、投影部１０と、画像処理部２０と、制御部３０と、内部バス４０とを備えている。投影部１０は、画像を投影するための各種光学系を有している。また、画像処理部２０は、一連の画像処理を行い、投影部１０によって投影される画像を形成する。制御部３０は、投影部１０と画像処理部２０とを統括制御する。
【００３２】
図２に示されるように、投影部１０は、ランプ制御回路１１と、ランプ１２と、照明光学系１３と、光変調素子１４と、結像光学系１５とを備えている。ランプ制御回路１１は、内部バス４０に接続されている。ランプ制御回路１１は、制御部３０の統括制御の下で、ランプ１２を点灯させる。ランプ１２は、投影用の照明光を出射する。ランプ１２から発せられた照明光は、照明光学系１３に入射され整形される。照明光学系１３より出射した照明光は、光変調素子１４を均一に照明する。光変調素子１４としては、例えば液晶パネルが用いられるが、デジタルミラーデバイスなどを用いるようにしてもよい。光変調素子１４には、後述する画像処理部２０による駆動により、投影されるべき画像が形成されている。したがって、光変調素子１４を通過した照明光は、その画像情報を含む光となっている。光変調素子１４を通過した照明光は、結像光学系１５に入射し、結像光学系１５を介してスクリーンＳ上に到達する。光変調素子１４とスクリーンＳとは、共役の関係にあるので、結像光学系１５は、光変調素子１４に形成された画像を、スクリーンＳ上に結像させるようになる。
【００３３】
画像処理部２０は、映像信号入力手段２１と、画像処理回路２２と、光変調素子ドライブ回路２３とを備えている。映像信号入力手段２１により、外部からの映像信号が入力される。入力された映像信号は、画像処理回路２２に入力される。画像処理回路２２は、入力された映像信号に対して所定の画像処理を行い、その画像データ信号を出力する。この画像データ信号は、光変調素子ドライブ回路２３に入力される。光変調素子ドライブ回路２３は、画像データ信号に対応する駆動信号を生成して、その駆動信号に従って光変調素子１４を駆動する。これにより、光変調素子１４上に画像が形成される。
【００３４】
画像処理回路２２は、内部バス４０に接続されている。画像処理回路２２は、内部バス４０からも画像データとして投影されるべきデジタル信号を入力可能である。内部バス４０には、フレームメモリ４２も接続されている。このフレームメモリ４２に画像データを書き込むようにすれば（描画すれば）、その画像データに相当するデジタル信号が、内部バス４０を介して、画像処理回路２２に送信され、その画像データに基づく画像が投影されるようになる。
【００３５】
制御部３０は、マイクロコンピュータ３１を中心に構成されている。マイクロコンピュータ３１は、ＣＰＵ５０と、ＲＯＭ５１と、ＲＡＭ５２とを備えている。マイクロコンピュータ３１では、ＣＰＵ５０がＲＯＭ５１に格納されたプログラムを実行することにより、プロジェクタ１００を統括制御する。ＲＯＭ５１には、電源投入直後にＣＰＵ５０で実行されるブートプログラムなどが格納されている。また、ＣＰＵ５０で実行されるプログラムの中には、オペレーティングシステム（以下、「ＯＳ」とする）があり、マイクロコンピュータ３１では、このＯＳ上で、プロジェクタ１００内部の制御プログラムが実行されるようになる。また、このＯＳにより、パーソナルコンピュータ１２０と同様のファイル管理が可能となっており、テキスト編集ファイルを編集可能ないわゆるテキストエディタ（いわゆるメモ帳程度の簡易なエディタでよい）や、プレゼンテーションなどに用いられるスライドショーのアプリケーションソフトウエアのプログラムを実行可能となっている。
【００３６】
このようなＯＳ、テキストエディタ、スライドショー、フォント、文字コード表（Ｓｈｉｆｔ−ＪＩＳ、ＡＳＣＩＩ、ｅｔｃ・・・）などの各種プログラム及びデータは、不揮発性メモリ４１に格納されており、マイクロコンピュータ３１から、必要に応じて呼び出されて、マイクロコンピュータ３１で実行され、又は用いられる。尚、不揮発性メモリ４１は備えず、前記各種プログラム及びデータをＲＯＭ５１に格納しても良いし、別途、不揮発性メモリ４１の代わりに、ＲＯＭ５１を不揮発性メモリとしてもよい。不揮発性メモリを用いることで、前記各種プログラム及びデータ等のアップデート等の修正が可能となる。
【００３７】
さらに、制御部３０は、マイクロコンピュータ３１の他に、マンマシンインターフェイスとして操作パネル３４を備えている。また、制御部３０は、さらに、ＵＳＢインターフェイス３５を備えている。ＵＳＢインターフェイス３５には、コネクタが２つ以上設けられており、ＵＳＢケーブル１０５のカスケード接続が可能となっている。また、制御部３０は、リモートコントローラ１０２のインターフェイスとしての、赤外線受光部３６と、赤外線制御部３７とを備えている。マイクロコンピュータ３１と各種インターフェイスとは、内部バス４０を介して互いに接続されている。
【００３８】
以上述べたように、投影部１０、画像処理部２０、制御部３０の各構成要素は、内部バス４０に接続されている。各部のデータ通信は、この内部バス４０を介して行われ、制御部３０のマイクロコンピュータ３１は、この内部バス４０を介して、各部を統括制御している。
【００３９】
本実施形態では、メインプロジェクタ１００とサブプロジェクタ１００とは、連携して動作する。この連携動作により、メインプロジェクタ１００によって投影されるスライドショーの各ページのスライド画像と、サブプロジェクタ１００によって投影される議事録のテキスト編集ファイル（議事録ファイル）の内容の画像とは、常に同期して切り替えられるようになる。スライドショーの画像と、議事録ファイルとの同期をとるために、メインプロジェクタ１００は、プレイリストと呼ばれるリスト情報を管理している。プレイリストは、ＵＳＢメモリ１０１に格納されており、必要に応じてメインプロジェクタ１００に読み出されて使用される。
【００４０】
図３（Ａ）〜図３（Ｃ）には、このプレイリストの一例が示されている。図３（Ａ）に示されるように、プレイリストでは、スライドショーソフトウエアのスライド画像データのファイル名が、その表示順番に従って記述されている。議事録データのファイル名（リンク情報）が、対応づけて記述されている。表示システム２００では、このプレイリストを参照して、メインプロジェクタ１００により投影される画像と、サブプロジェクタ１００により投影される画像との同期がとられるようになる。なお、プレイリストについては、後述するように、図３（Ａ）に示される記述内容から、図３（Ｂ）、図３（Ｃ）に示されるプレイリストの記述内容に更新されることとなるが、この更新処理については、後述する各プロジェクタ１００の動作の説明の中で詳細に説明する。もちろん、以前に議事録データが作成されていないスライド画像データの場合や、初めてスライド画像データを投影する場合は、プレイリストの議事録データ欄には何も記述されていない状態となっている。
【００４１】
次に、プロジェクタ１００の動作について説明する。図４には、メインプロジェクタ１００と、サブプロジェクタ１００の動作を示すフローチャートが示されている。また、図５〜図７には、図４のメインフロー中に実行される各種サブルーチンのフローチャートが示されている。図４〜図７では、左側に、メインプロジェクタ１００のフローチャートが示されており、右側に、サブプロジェクタ１００のフローチャートが示されている。なお、前提として、メインプロジェクタ１００では、スライドショーソフトウエアが起動しており、ＵＳＢメモリ１０１に、スライドショーソフトによって表示される画像データファイル（以下、「画像データ」と略述する）と、議事録のテキストファイル（以下、「議事録データ」と略述する）と、プレイリストとが、格納されているものとする。また、本実施形態では、メインプロジェクタ１００とサブプロジェクタ１００とが、データ送受信を行いながら連携して動作するので、時系列に従って、各プロジェクタ１００の処理について並行して説明する。
【００４２】
メインプロジェクタ１００は、リモコン１０２又は操作パネル３４の操作などのユーザの指示によって処理を開始する。図４に示されるように、ステップ２０１において、スライドのプレイリストをＵＳＢメモリ１０１から読み込む。なお、ここでは、図３（Ａ）に示される内容を有するプレイリストが読み込まれるものとする。
【００４３】
メインプロジェクタ１００は、次のステップ２０３において、リンク情報作成のサブルーチンを実行する。一方、サブプロジェクタ１００は、ステップ３０３において、同じリンク情報作成のサブルーチンを実行する。ここで、リンク情報とは、画像データに対して関連付けられた議事録データに関する情報をいう。
【００４４】
図５には、リンク情報作成のサブルーチンのフローチャートが示されている。図５に示されるように、まず、メインプロジェクタ１００は、ステップ４０１において、今回の投影対象となる画像データに、対応する議事録データのリンク情報が有るか否かを、読み込んだプレイリストを参照して判断する。この判断が肯定されればステップ４０３に進み、否定されればステップ４１１に進む。例えば、図３（Ａ）のプレイリストであれば、まず、表示番号１の画像データが「Ｐａｇｅ１．ｊｐｇ」が投影対象となるが、この場合、「Ｐａｇｅ１．ｊｐｇ」に対応する編集データには、「Ｐａｇｅ１．ｔｘｔ」が存在するので、判断は肯定され、ステップ４０３に進む。
【００４５】
次に、メインプロジェクタ１００は、ステップ４０３において、サブプロジェクタ１００に、プレイリストから読み出したファイル名の議事録データをサブプロジェクタ１００に転送する。図３（Ａ）のプレイリストであれば、「Ｐａｇｅ１．ｔｘｔ」という議事録データをサブプロジェクタ１００に送信する。
【００４６】
一方、サブプロジェクタ１００は、ステップ５０１における判断が肯定されるか、ステップ５０５における判断が肯定されるかを、ステップ５１１における判断が肯定されるまで、ステップ５０１→５０５→５１１の判断処理を繰り返している。まず、ステップ５０１では、議事録データを受信したか否かを判断する。上述のように、メインプロジェクタ１００から、議事録データが送信された場合には、ステップ５０１の判断が肯定される。
【００４７】
ステップ５０１における判断が肯定されると、ステップ５０３に進む。ステップ５０３では、サブプロジェクタ１００は、議事録データを、ＲＡＭ５２に格納し、その格納アドレスの情報を、リンク情報として、メインプロジェクタ１００に送信する。例えば、「Ｐａｇｅ１．ｔｘｔ」の格納アドレスが、「０ｘ００１」であった場合には、「０ｘ００１」を、メインプロジェクタ１００に送信する。なお、アドレス「０ｘ〜」は、１６進数で表現されたアドレスであることを示している。
【００４８】
メインプロジェクタ１００は、次のステップ４０５において、このリンク情報を取得し、プレイリストのリンク情報を、取得した情報に更新する。例えば、図３（Ｂ）に示されるように、「Ｐａｇｅ１．ｊｐｇ」の対応するリンク情報を、サブプロジェクタ１００のＲＡＭ５２上のアドレス情報「０ｘ００１」に更新する。
【００４９】
図５に戻り、メインプロジェクタ１００は、ステップ４１５において、プレイリスト内のすべてのスライドショー画像データに対応するリンク情報の生成が完了したか否かを判断する。ここでは、まだ、表示番号１の「Ｐａｇｅ１．ｊｐｇ」のリンク情報だけが、作成された状態であるので、判断は否定され、ステップ４０１に戻る。一方、サブプロジェクタ１００は、ステップ５０３実行後、ステップ５０５→５１１の判断を行ってステップ５０１に戻り、再び、ステップ５０１→５０５→５１１の判断処理を繰り返すようになる。
【００５０】
メインプロジェクタ１００は、ステップ４０１において、今回の投影対象となる画像データに、対応する議事録データのリンク情報があるか否かを、読み込んだプレイリストを参照して判断する。例えば、図３（Ａ）のプレイリストにおいて、今回の投影対象となる画像データが２番目の「Ｐａｇｅ２．ｊｐｇ」である場合には、リンク情報が存在しないので、判断は否定され、ステップ４１１に進む。
【００５１】
ステップ４１１において、メインプロジェクタ１００は、サブプロジェクタ１００に対して、議事録データの新規作成を指示する。一方、サブプロジェクタ１００では、ステップ５０５において、議事録データの新規作成が指示されたか否かを判断している。したがって、新規作成の指示を受けると、この判断が肯定され、サブプロジェクタ１００では、ステップ５０７、５０９を実行する。ステップ５０７では、サブプロジェクタ１００は、議事録データを新規作成する。具体的には、ＲＡＭ５２上に議事録データの領域を確保する。例えば、「Ｐａｇｅ２．ｊｐｇ」に対応する議事録データの格納領域として、「０ｘ００１００」が確保される。そして、次のステップ５０９では、確保した議事録データのＲＡＭ５２上の先頭アドレスを、リンク情報として、メインプロジェクタ１００に送信する。例えば上述のように、「０ｘ００１００」が確保された場合には、「０ｘ００１００」をメインプロジェクタ１００に送信する。
【００５２】
メインプロジェクタ１００は、ステップ４１３において、この議事録データの格納アドレスをリンク情報として取得する。例えば、図３（Ｂ）に示されるように、「Ｐａｇｅ２．ｔｘｔ」のリンク情報として、議事録データの格納アドレス「０ｘ００１００」が設定される。
【００５３】
次のステップ４１５では、メインプロジェクタ１００は、全画像データに対してリンク情報の生成が完了したか否かを判断する。ここでは、まだ、２番目までのスライドショーの画像データのリンク情報が作成された段階なので、判断は否定され、ステップ４０１に戻る。一方、サブプロジェクタ１００は、ステップ５０９実行後、ステップ５１１の判断を行ってステップ５０１に戻り、再び、ステップ５０１→５０５→５１１の判断処理を繰り返すようになる。
【００５４】
以降、メインプロジェクタ１００は、プレイリスト上の画像データに対応するリンク情報がすべて作成されてステップ４１５における判断が肯定されるまで、ステップ４０１→４０３→４０５→４１５、又は、ステップ４０１→４１１→４１３→４１５を繰り返す。一方、サブプロジェクタ１００は、メインプロジェクタ１００からの指示を受けて、ステップ５０３におけるリンク情報の送信と、ステップ５０７、５０９における議事録データの新規作成、議事録データのリンク情報の送信とのいずれかを行う。これらの動作により、例えば、図３（Ｂ）に示されるプレイリストが完成する。
【００５５】
リンク情報生成が完了し、ステップ４１５における判断が肯定されると、メインプロジェクタ１００は、ステップ４１７に進む。ステップ４１７では、メインプロジェクタ１００は、サブプロジェクタ１００に対し、プレイリストの作成の完了メッセージを送信し、リンク情報の作成処理のサブルーチンを終了する。これを受けて、サブプロジェクタ１００でも、ステップ５１１における判断が肯定され、リンク情報の作成処理のサブルーチンを終了する。
【００５６】
図４に戻り、リンク情報の作成処理のサブルーチン（ステップ２０３、３０３）終了後、メインプロジェクタ１００、サブプロジェクタ１００は、ともに、ステップ２０５、３０５において、投影処理のサブルーチンを実行する。図６には、この投影処理のサブルーチンのフローチャートが示されている。図６に示されるように、メインプロジェクタ１００は、まず、ステップ６０１において、プレイリストに従って、画像データを取得する。例えば、表示番号１番の「Ｐａｇｅ１．ｊｐｇ」が取得される。
【００５７】
次に、メインプロジェクタ１００は、ステップ６０３において、対応する議事録データのリンク情報をプレイリストから取得する。ここで、例えば、「Ｐａｇｅ１．ｊｐｇ」に対応するリンク情報「０ｘ００１」が取得される。次に、メインプロジェクタ１００は、ステップ６０５において、対応する議事録データのリンク情報をサブプロジェクタ１００に通知する。そして、ステップ６０９において、メインプロジェクタ１００は、画像データを投影する。これにより、「Ｐａｇｅ１．ｊｐｇ」が投影領域Ｓ１上に投影されるようになる。ステップ６０９終了後は、このサブルーチンを終了する。
【００５８】
一方、サブプロジェクタ１００は、ステップ７０５において、リンク情報が受信されるのを待っている。リンク情報を受信すると、この判断が肯定され、ステップ７０７に進む。ステップ７０７では、リンク先のアドレスの議事録データを取得する。例えば、「０ｘ００１」が受信されたリンク情報である場合には、ＲＡＭ５２上の「０ｘ００１」に格納されたデータを、議事録データとして取得する。そして、次のステップ７０９では、サブプロジェクタ１００は、テキストエディタを起動して、議事録データを書き込み可能にオープンするとともに、取得された議事録データ（すなわち、「Ｐａｇｅ１．ｔｘｔ」）の内容を投影領域Ｓ２上に投影する。ステップ７０９終了後は、このサブルーチンを終了する。
【００５９】
このように、投影処理のステップ２０５、３０５により、画像データと、それに対応する議事録データとが、ほぼ同時に投影されるようになる。
【００６０】
図４に戻り、投影処理のサブルーチン２０５終了後、メインプロジェクタ１００は、ステップ２０７に進む。ステップ２０７では、メインプロジェクタ１００は、スライドショーの表示スライドの切替指示を検出したか否かを判断する。この判断が肯定された場合にのみ、ステップ２０９において、切替指示に従って、画像データの取得先を変更する。例えば、１番目の表示スライド（すなわち、「Ｐａｇｅ１．ｊｐｇ」）から２番目のスライド（すなわち、「Ｐａｇｅ２．ｊｐｇ」）への表示スライドの切替指示が検出された場合には、ステップ２０９において、画像の取得先を「Ｐａｇｅ２．ｊｐｇ」に変更する。なお、ここで、前述したように、サブプロジェクタ１００が投影する画像も、「Ｐａｇｅ２．ｔｘｔ」の内容に切替えられるようになる。
【００６１】
この後、メインプロジェクタ１００は、ステップ２１１において、スライド表示の終了指示を検出したか否かを判断する。ここでは、例えば、スライドショーアプリケーションソフトウエアが終了したか否かで判断が行われる。この判断が否定されればステップ２０５に戻り、肯定されればステップ２１２に進む。ここでは、判断が否定され、ステップ２０５に戻るものとする。
【００６２】
一方、サブプロジェクタ１００は、投影処理のサブルーチン終了後、ステップ３０７に進む。ステップ３０７では、パソコン１２０のキーボードの操作によるキーコマンドが検出されたか否かを判断する。この判断が肯定された場合にのみ、ステップ３０９において、キー入力による議事録データの内容の更新、すなわち編集が行われる。これにより、パソコン１２０のキーボードから入力されたキー操作の内容が、議事録データの内容に反映されるようになる。この後、サブプロジェクタ１００は、ステップ３１１において、メインプロジェクタ１００からの終了メッセージを受信したか否かを判断する。この判断が否定された場合にはステップ３０５に戻り、肯定された場合にはステップ３１３に進む。ここでは、まだ終了メッセージを受信していないので判断は否定され、ステップ３０５に戻る。
【００６３】
この後、メインプロジェクタ１００、サブプロジェクタ１００は、再び、投影処理のステップ２０５、３０５を実行する。ここで、表示スライドが切り替えられていた場合には、ステップ２０５、３０５において、メインプロジェクタ１００によって投影される表示スライドの画像データと、サブプロジェクタ１００によって投影される議事録データとが、同時して切り替えられるようになる。
【００６４】
以降、メインプロジェクタ１００では、このステップ２１１における判断が肯定されるまでステップ２０５→２０７（→２０９）→２１１の処理が繰り返される。また、サブプロジェクタ１００では、ステップ３１１における判断が肯定されるまで、ステップ３０５→３０７（→３０９）→３１１が繰り返される。
【００６５】
スライドショーソフトウエアが終了し、ステップ２１１における判断が肯定されると、メインプロジェクタ１００は、ステップ２１２に進み、サブプロジェクタ１００に終了メッセージを送信し、ステップ２１３の表示スライド終了のサブルーチンを行う。一方、終了メッセージを受けたサブプロジェクタ１００では、ステップ３１１での判断が肯定され、ステップ３１３に進み、表示スライド終了のサブルーチンを行う。
【００６６】
図７には、メインプロジェクタ１００、サブプロジェクタ１００における表示スライドの終了のサブルーチンのフローチャートが示されている。図７に示されるように、まず、メインプロジェクタ１００は、ステップ８０１において、リンク形式の変更があるか否かを判断する。ここで、リンク形式とは、画像データと議事録データとを関連付ける情報の形式（種別）をいう。例えば、本実施形態では、ファイル名の一部を、画像データと議事録データとで一致させることにより、両者を関連付けていたが、他の方法により、両者を関連付けることも可能である。例えば、両ファイルのパス、すなわちフォルダを同一にすることにより、両者を関連付けることが可能である。したがって、ここでは、リンク形式が変更されたか否かを判断して、変更されたリンク形式に従って、画像データと議事録データとを関連付けて保存できるように、リンク形式の変更の有無を判別している。そこで、この判断が肯定された場合にのみ、メインプロジェクタ１００は、ステップ８０３において、画像データと、議事録データの保存先でのリンク形式を指定する。
【００６７】
次のステップ８０５では、メインプロジェクタ１００は、プレイリストを参照し、ステップ８０７では、議事録データの要求をサブプロジェクタ１００に送信する。
【００６８】
一方、サブプロジェクタ１００は、まず、ステップ９０７で、議事録データの要求を検出したか否かを判断し、この判断が肯定された場合にのみステップ９０９で、議事録データを、メインプロジェクタ１００に送信する。すなわち、サブプロジェクタ１００は、メインプロジェクタ１００によって要求された議事録データを、メインプロジェクタ１００に送信する。
【００６９】
メインプロジェクタ１００は、ステップ８０９において議事録データを取得し、ステップ８１１において、所定のリンク形式で、保存する。ここで、リンク形式として、「ファイル名」が指定されていれば、図３（Ｃ）に示されるプレイリストに従って、議事録データがファイルとして保存されるようになる。そして、ステップ８１３では、全てのファイルの保存が完了したか否かを判断する。この判断が否定されれば、ステップ８０５に戻り、肯定されれば、ステップ８１５に進む。以降、ステップ８１３における判断が肯定されるまで、ステップ８０５→８０７→８０９→８１１→８１３が繰り返される。ステップ８１３における判断が肯定されると、ステップ８１５に進み、プレイリストを保存し、ステップ８１７に進み、スライドショーの終了通知をサブプロジェクタ１００に送信し、表示スライドの終了のサブルーチンを終了する。
【００７０】
一方、サブプロジェクタ１００は、スライドショーの終了通知を受信し、ステップ９１１における判断が肯定されるまで、ステップ９０７→９０９→９１１が繰り返されている。メインプロジェクタ１００からスライドショーの終了通知を受信すると、この判断が肯定され、表示スライドの終了のサブルーチン処理を終了する。なお、ここでテキストエディタも終了する。
【００７１】
以上の動作により、図４に示されるメインプロジェクタ１００及びサブプロジェクタ１００の処理が終了する。
【００７２】
以上詳細に説明したように、本実施形態に係る表示システム２００は、メインプロジェクタ１００と、サブプロジェクタ１００とを備えている。メインプロジェクタ１００は、スライド画像を投影するとともに、スライド画像に関連付けられた議事録データが有る場合には、その議事録データのリンク情報を、ＵＳＢケーブル１０５を介してサブプロジェクタ１００に送信する。また、サブプロジェクタ１００は、ＵＳＢケーブル１０５を介して受信されたリンク情報を受信し、受信された情報に基づいて、スライド画像に関連付けられた議事録データを書き込み可能とするとともに、その議事録データの内容に相当する画像を投影する。このようにすれば、画像とその画像に関連する議事録データの内容とを、同期して投影させ、さらに、自動的に、テキストエディタを起動し、その議事録データを、編集できる状態とすることができるようになる。この結果、画像と議事録データの投影と、議事録データの編集とを並行して行おうとするユーザの負担を軽減することができる。
【００７３】
また、本実施形態によれば、スライド画像に関連付けられた議事録データがない場合には、議事録データが自動に新規作成されるようになる。これにより、ユーザが議事録データを新規作成する必要がなくなるので、ユーザの作業負担を軽減することができる。
【００７４】
また、本実施形態によれば、スライド画像に関連付けられた議事録データがある場合には、メインプロジェクタ１００からサブプロジェクタ１００に対して、自動的に送信されるようになる。これにより、ユーザが、スライド画像に関連付けられた議事録データを探して、書き込み可能にファイルオープンする必要がなくなるので、ユーザの作業負担を軽減することができる。
【００７５】
また、本実施形態によれば、メインプロジェクタ１００によって投影される画像は、外部入力によって切替可能である。外部入力が切り替えられるたびに、サブプロジェクタ１００によって投影される議事録データの内容も、画像に対応するものに切り替えられる。このようにすれば、投影される画像と議事録データとの切り替えを、自動的に同期させることが可能となるためユーザの負担を軽減することができる。
【００７６】
また、本実施形態によれば、議事録データは、画像と関連付けて一括保存される。常に、画像の投影終了時に、最新の議事録データが保存される。このようにすれば、画像データと、議事録データとの関連付けが容易となるので、議事録データの管理が容易となる。
【００７７】
また、本実施形態によれば、議事録データは、スライド画像と関連付けられて、ＵＳＢメモリ１０１に格納される。これにより、スライド画像と関連する議事録データの管理が容易となる。
【００７８】
また、本実施形態によれば、ファイル名の一部やフォルダなどによって、画像データと議事録データとが関連付けられているので、関連付けられた議事録データを探索するのが容易となる。このように、画像データと、議事録データとの関連付けは、各ファイルのプロパティの設定により行うことも可能である。例えば、拡張子、タイトル、表題、作成者、カテゴリ、キーワード、コメントなどの各種プロパティを用いて、関連付けを行うことができる。例えば、議事録データのファイルのプロパティに、画像データのファイル名を設定しておけばよい。
【００７９】
なお、画像データに対して議事録データが複数ある場合には、その議事録データのファイル名の一部に通し番号を付けると、ファイル管理がより容易となる。
【００８０】
この他、画像データと、議事録データとの関連性が記述されたテーブルファイルをＵＳＢメモリ１０１に格納しておき、メインプロジェクタ１００が、そのテーブルファイルを読み込んで、そのテーブルファイルに基づいて、画像データと、議事録データとの関連付けを行うようにしてもよい。
【００８１】
また、本実施形態によれば、表示システムでは、メインプロジェクタもサブプロジェクタも、同じ構成を有するプロジェクタ１００であるものとした。プロジェクタ１００は、画像データに関連付けられた議事録データのリンク情報を、ＵＳＢケーブル１０５を介して送信するモードと、ＵＳＢケーブル１０５を介して受信されたリンク情報を受信し、受信された情報に基づいて、画像データに関連付けられた議事録データを書き込み可能とするとともに、その議事録データの内容に相当する画像を投影するモードとのいずれかに切替可能であり、いずれのモードでも動作可能となっている。このようにすれば、いずれのプロジェクタ１００でも、画像データ又は議事録データを他のプロジェクタと連携して投影可能となるため、表示システム２００のフレキシブルな運用が可能となる。また、この表示システム２００を実現するためには、同型のプロジェクタ１００を製造すればよいので、システム全体の製造コストを低減することも可能となる。
【００８２】
なお、本実施形態では、メインプロジェクタ１００からサブプロジェクタ１００に議事録データ自体を送信したが、議事録データの所在地を示す情報などを送信し、サブプロジェクタ１００が、例えばパソコン１２０などから、議事録データを取得するようにしてもよい。このように、各種ファイルの格納場所は適宜変更可能である。
【産業上の利用可能性】
【００８３】
以上述べたように、本発明の表示システム及びプロジェクタは、プレゼンテーションや会議などに用いられるのに適している。
【図面の簡単な説明】
【００８４】
【図１】本発明の第１の実施形態に係る表示システム２００の構成を示す斜視図である。
【図２】図１のプロジェクタの内部構成を示すブロック図である。
【図３】図３（Ａ）〜図３（Ｃ）は、プレイリストの一例を示す図である。
【図４】本実施形態に係る２つのプロジェクタのメイン処理のフローチャートである。
【図５】リンク情報生成のサブルーチンのフローチャートである。
【図６】画像投影のサブルーチンのフローチャートである。
【図７】表示スライド処理のサブルーチンのフローチャートである。
【符号の説明】
【００８５】
１０  投影部
１１  ランプ制御回路
１２  ランプ
１３  照明光学系
１４  光変調素子
１５  結像光学系
２０  画像処理部
２１  映像信号入力手段
２２  画像処理回路
２３  光変調素子ドライブ回路
３０  制御部
３１  マイクロコンピュータ
３４  操作パネル
３５  ＵＳＢインターフェイス
３６  赤外線制御部
３７  赤外線受光部
４０  内部バス
４１  不揮発性メモリ
４２  フレームメモリ
５０  ＣＰＵ
５１  ＲＯＭ
５２  ＲＡＭ
１００  プロジェクタ
１０１  ＵＳＢメモリ
１０２  リモートコントローラ（リモコン）
１０５  ＵＳＢケーブル
１２０  パーソナルコンピュータ（パソコン）
２００  表示システム
Ｓ  スクリーン
Ｓ１、Ｓ２  投影領域
【図１】
2008249905.tif 000003
【図２】
2008249905.tif 000004
【図３】
2008249905.tif 000005
【図４】
2008249905.tif 000006
【図５】
2008249905.tif 000007
【図６】
2008249905.tif 000008
【図７】
2008249905.tif 000009